(57)【要約】【課題】映像を見ているユーザ一人一人に個別に対応した音声情報支援を実現することのできる音声情報支援システムを提供する。【解決手段】画像を表示する画像表示装置（１）、画像表示装置（１）により表示されている画像中の任意位置に向けて、音声情報を基に変調した電磁波を出力する音声出力装置（２）、および前記画像中の位置にて前記電磁波を受信して電気信号に変換し、当該電気信号を音声再生する音声再生端末（３）を具備する。【選択図】  図１
2004200815.tif 000002
【特許請求の範囲】
【請求項１】
画像を表示する画像表示装置、
画像表示装置により表示されている画像中の１つまたは複数の位置に向けて、音声情報を基に変調した電磁波を出力する音声出力装置、および、
前記画像中の位置にて前記電磁波を受信し電気信号に変換する変換手段と、当該変換手段により得られた電気信号を音声再生する音声再生手段とを有する音声再生端末、
を備えたことを特徴とする音声情報支援システム。
【請求項２】
画像を表示する画像表示装置、
画像表示装置により表示されている画像中の１つまたは複数の位置に向けて、音声情報を基に変調した電磁波を出力する音声出力装置、
前記画像中の位置にて前記電磁波を受信し電気信号に変換する変換手段と、当該変換手段により得られた電気信号を音声再生する音声再生手段と、ＩＤを発信するＩＤ発信手段とを有する音声再生端末、および、
音声再生端末のＩＤ発信手段により発信されたＩＤを検出するＩＤ検出装置、を備えたことを特徴とする音声情報支援システム。
【請求項３】
画像を表示する画像表示装置、
画像表示装置により表示されている画像中の１つまたは複数の位置に向けて、音声情報を基に変調した電磁波を出力する音声出力装置、
前記画像中の位置にて前記電磁波を受信し電気信号に変換する変換手段と、当該変換手段により得られた電気信号を音声再生する音声再生手段とを有する音声再生端末、および、
音声再生端末の位置を検出する位置検出装置、
を備えたことを特徴とする音声情報支援システム。
【請求項４】
画像を表示する画像表示装置、
画像表示装置により表示されている画像中の１つまたは複数の位置に向けて、音声情報を基に変調した電磁波を出力する音声出力装置、
前記画像中の位置にて前記電磁波を受信し電気信号に変換する変換手段と、当該変換手段により得られた電気信号を音声再生する音声再生手段と、ＩＤを発信するＩＤ発信手段とを有する音声再生端末、
音声再生端末のＩＤ発信手段により発信されたＩＤを検出するＩＤ検出装置、および、
音声再生端末の位置を検出する位置検出装置、
を備えたことを特徴とする音声情報支援システム。
【請求項５】
画像表示装置は、画像を表示するスクリーン手段と、当該スクリーン手段に対して画像を投射する画像投射手段とを有していることを特徴とする請求項１ないし４のいずれかに記載の音声情報支援システム。
【請求項６】
スクリーン手段は、その画像表示面が平面状、曲面状または凹凸面状のものであることを特徴とする請求項５記載の音声情報支援システム。
【請求項７】
スクリーン手段は、その画像表示面が透光性のものであることを特徴とする請求項５記載の音声情報支援システム。
【請求項８】
画像投射手段は、スクリーン手段に対してその画像表示面側から画像を投射することを特徴とする請求項５記載の音声情報支援システム。
【請求項９】
画像投射手段は、スクリーン手段に対してその画像表示面とは反対面側から画像を投射することを特徴とする請求項５記載の音声情報支援システム。
【請求項１０】
画像表示装置は、ブラウン管ディスプレイであることを特徴とする請求項１ないし４のいずれかに記載の音声情報支援システム。
【請求項１１】
画像表示装置は、フラットパネルディスプレイであることを特徴とする請求項１ないし４のいずれかに記載の音声情報支援システム。
【請求項１２】
フラットパネルディスプレイは、液晶ディスプレイ、プラズマディスプレイ、エレクトロルミネセントディスプレイ、発光ダイオードディスプレイ、蛍光表示管ディスプレイ、電解放出ディスプレイのいずれかであることを特徴とする請求項１１記載の音声情報支援システム。
【請求項１３】
音声出力装置は、音声情報を基に電磁波を変調する変調手段と、変調手段により変調された電磁波を前記画像中の位置に向けて照射する電磁波照射手段とを有していることを特徴とする請求項１ないし４のいずれかに記載の音声情報支援システム。
【請求項１４】
電磁波照射手段は、電磁波を出力する電磁波源を有していることを特徴とする請求項１３記載の音声情報支援システム。
【請求項１５】
電磁波源は、前記画像中の複数位置それぞれに対応して配設されている複数のものであることを特徴とする請求項１４記載の音声情報支援システム。
【請求項１６】
電磁波源は、前記画像中の複数位置に向けて照射方向を変更することのできる１つまたは複数のものであることを特徴とする請求項１４記載の音声情報支援システム。
【請求項１７】
電磁波源は、電磁波としての光を出力する光源であることを特徴とする請求項１４記載の音声情報支援システム。
【請求項１８】
光源は、発光ダイオードまたはレーザであることを特徴とする請求項１７記載の音声情報支援システム。
【請求項１９】
光源からの光を光ケーブルを通して前記画像中の位置に照射することを特徴とする請求項１７記載の音声情報支援システム。
【請求項２０】
音声再生端末の変換手段は、電磁波照射手段の光源からの光を受光して光電変換する光電変換手段であることを特徴とする請求項１７記載の音声情報支援システム。
【請求項２１】
光電変換手段は、太陽電池であることを特徴とする請求項２０記載の音声情報支援システム。
【請求項２２】
音声再生端末の変換手段は、端末ユーザの身体の一部に装着可能となっていることを特徴とする請求項１ないし４のいずれかに記載の音声情報支援システム。
【請求項２３】
身体の一部が手または足であることを特徴とする請求項２２記載の音声情報支援システム。
【請求項２４】
音声再生端末の変換手段は、端末ユーザが持つ指示棒に装着可能となっているまたは組み込まれていることを特徴とする請求項１ないし４のいずれかに記載の音声情報支援システム。
【請求項２５】
音声再生端末の音声再生手段は、イヤホンもしくはヘッドホンまたはスピーカであることを特徴とする請求項１ないし４のいずれかに記載の音声情報支援システム。
【請求項２６】
音声再生端末は、別体の駆動電源を必要としない無電源端末であることを特徴とする請求項１ないし４のいずれかに記載の音声情報支援システム。
【請求項２７】
音声再生端末のＩＤ発信手段は、ＲＦＩＤタグであり、ＩＤ検出装置は、当該ＲＦＩＤタグとの間でＩＤ認証通信を行うリーダライタであることを特徴とする請求項１ないし４のいずれかに記載の音声情報支援システム。
【請求項２８】
音声再生端末のＩＤ発信手段は、光ＩＤタグであり、ＩＤ検出装置は、当該光ＩＤタグが発するＩＤ用赤外光を受光してＩＤデータを出力する赤外線センサであることを特徴とする請求項１ないし４のいずれかに記載の音声情報支援システム。
【請求項２９】
光ＩＤタグは、ＩＤ用赤外光の赤外線光源と、ＩＤデータを記憶するＩＤ記憶手段と、ＩＤデータに応じてＩＤ用赤外光を変調する変調手段とを有しており、
赤外線センサは、当該光ＩＤタグにより変調されて発信されたＩＤ用赤外光を受光してＩＤデータを出力する、
ことを特徴とする請求項２８記載の音声情報支援システム。
【請求項３０】
位置検出装置は、位置用赤外光の赤外線光源と、音声再生端末により反射されて戻されてきた位置用赤外光を撮像する赤外線撮像手段と、赤外線撮像手段により撮像された位置用赤外光像に基づいて音声再生端末の位置を検出する位置検出手段とを有しており、
音声再生端末は、位置検出装置により発信された位置用赤外光を反射させる反射手段を有している、
ことを特徴とする請求項１ないし４のいずれかに記載の音声情報支援システム。
【請求項３１】
位置検出装置は、画像表示装置の画像表示面に設けられたタッチパネルと、端末ユーザが触れた当該タッチパネルの位置に基づいて音声再生端末の位置を検出する位置検出手段とを有していることを特徴とする請求項１ないし４のいずれかに記載の音声情報支援システム。
【発明の詳細な説明】
【０００１】
【発明の属する技術分野】
この出願の発明は、音声情報支援システムに関するものである。さらに詳しくは、この出願の発明は、スクリーン等に表示されている画像を見ているユーザ一人一人に個別に対応した音声情報支援を実現することのできる、新しい音声情報支援システムに関するものである。
【０００２】
【従来の技術】
従来、テーブル天板部にスクリーンを組み込み、その背面下方からプロジェクタにより映像を投射するようにした情報システムが知られている（特許文献１参照）。この情報システムによれば、テーブルを囲んで多くのユーザが同時に映像を見ることが可能になるとしている。
【０００３】
【特許文献１】
特開２００１−７５７３３号公報
【０００４】
【発明が解決しようとする課題】
しかしながら、上記特許文献１記載の情報システムでは、ユーザはテーブル上に映し出される映像を見ることができるだけで、その映像に関連した音声（声や音楽、信号音など。以下同じ）については各ユーザが個別に好きなときに好きな音声情報を聞けるようにはなっていない。もちろん映像とともに音声を出力する態様も上記特許文献１では提案されているが、テーブルを囲んだユーザ全員に対して音声情報をスピーカから流しており、常に全員が同じ音声を聞くことになるだけである。
【０００５】
すなわち、映像を見ているユーザ一人一人が「いま、ここで、私が」欲しい音声情報を取得できるといった、各ユーザに個別に対応した音声情報支援は実現されていないのである。
【０００６】
そこで、この出願の発明は、以上のとおりの事情に鑑み、スクリーンや各種ディスプレイ上の画像（静止画および動画を問わない。以下同じ）を見ているユーザ一人一人に個別に対応した音声情報支援を実現することのできる、全く新しい音声情報支援システムを提供することを課題としている。
【０００７】
【課題を解決するための手段】
この出願の発明は、上記の課題を解決するものとして、第１には、図１にその機能ブロック図を例示したような、画像を表示する画像表示装置（１）、画像表示装置（１）により表示されている画像中の１つまたは複数の位置に向けて、音声情報を基に変調した電磁波を出力する音声出力装置（２）、および、前記画像中の位置にて前記電磁波を受信し電気信号に変換する変換手段（３１）と、当該変換手段（３１）により得られた電気信号を音声再生する音声再生手段（３２）とを有する音声再生端末（３）、を備えたことを特徴とする音声情報支援システムを提供する。
【０００８】
第２には、図２にその機能ブロック図を例示したような、画像を表示する画像表示装置（１）、画像表示装置（１）により表示されている画像中の１つまたは複数の位置に向けて、音声情報を基に変調した電磁波を出力する音声出力装置（２）、前記画像中の位置にて前記電磁波を受信し電気信号に変換する変換手段（３１）と、当該変換手段（３１）により得られた電気信号を音声再生する音声再生手段（３２）と、ＩＤを発信するＩＤ発信手段（３３）とを有する音声再生端末（３）、および、音声再生端末（３）のＩＤ発信手段（３３）により発信されたＩＤを検出するＩＤ検出装置（４）、を備えたことを特徴とする音声情報支援システムを提供する。
【０００９】
第３には、図３にその機能ブロック図を例示したような、画像を表示する画像表示装置（１）、画像表示装置（１）により表示されている画像中の１つまたは複数の位置に向けて、音声情報を基に変調した電磁波を出力する音声出力装置（２）、前記画像中の位置にて前記電磁波を受信し電気信号に変換する変換手段（３１）と、当該変換手段（３１）により得られた電気信号を音声再生する音声再生手段（３２）とを有する音声再生端末（３）、および、音声再生端末（３）の位置を検出する位置検出装置（５）、を備えたことを特徴とする音声情報支援システムを提供する。
【００１０】
第４には、図４にその機能ブロック図を例示したような、画像を表示する画像表示装置（１）、画像表示装置（１）により表示されている画像中の１つまたは複数の位置に向けて、音声情報を基に変調した電磁波を出力する音声出力装置（２）、前記画像中の位置にて前記電磁波を受信し電気信号に変換する変換手段（３１）と、当該変換手段（３１）により得られた電気信号を音声再生する音声再生手段（３２）と、ＩＤを発信するＩＤ発信手段（３３）とを有する音声再生端末（３）、音声再生端末（３）のＩＤ発信手段（３３）により発信されたＩＤを検出するＩＤ検出装置（４）、および、音声再生端末（３）の位置を検出する位置検出装置（５）、を備えたことを特徴とする音声情報支援システムを提供する。
【００１１】
また、第５には、図５にその機能ブロック図を例示したような、前記画像表示装置（１）は、画像を表示するスクリーン手段（１１）と、当該スクリーン手段に対して画像を投射する画像投射手段（１２）とを有していることを特徴とする音声情報支援システム、第６には、前記スクリーン手段（１１）は、その画像表示面が平面状、曲面状または凹凸面状のものであることを特徴とする音声情報支援システム、第７には、前記スクリーン手段（１１）は、その画像表示面が透光性のものであることを特徴とする音声情報支援システム、第８には、前記画像投射手段（１２）は、前記スクリーン手段（１１）に対してその画像表示面側から画像を投射することを特徴とする音声情報支援システム、第９には、前記画像投射手段（１２）は、前記スクリーン手段（１１）に対してその画像表示面とは反対面側から画像を投射することを特徴とする音声情報支援システム。
【００１２】
また、第１０には、前記画像表示装置（１）は、ブラウン管ディスプレイであることを特徴とする音声情報支援システム、第１１には、前記画像表示装置（１）は、フラットパネルディスプレイであることを特徴とする音声情報支援システム、第１２には、前記フラットパネルディスプレイは、液晶ディスプレイ、プラズマディスプレイ、エレクトロルミネセンスディスプレイ、発光ダイオードディスプレイ、蛍光表示管ディスプレイ、電解放出ディスプレイのいずれかであることを特徴とする音声情報支援システムを提供する。
【００１３】
また、第１３には、図６にその機能ブロック図を例示したような、前記音声出力装置（２）は、音声情報を基に電磁波を変調する変調手段（２１）と、変調手段（２１）により変調された電磁波を前記画像中の位置に向けて照射する電磁波照射手段（２２）とを有していることを特徴とする音声情報支援システム、第１４には、前記電磁波照射手段（２２）は、電磁波を出力する電磁波源を有していることを特徴とする音声情報支援システム、第１５には、前記電磁波源は、前記画像中の複数位置それぞれに対応して配設されている複数のものであることを特徴とする音声情報支援システム、第１６には、前記電磁波源は、前記画像中の複数位置に向けて照射方向を変更することのできる１つまたは複数のものであることを特徴とする音声情報支援システム、第１７には、前記電磁波源は、電磁波としての光を出力する光源であることを特徴とする音声情報支援システム、第１８には、前記光源は、発光ダイオードまたはレーザであることを特徴とする音声情報支援システム、第１９には、前記光源からの光を光ケーブルを通して前記画像中の位置に照射することを特徴とする音声情報支援システムを提供する。
【００１４】
また、第２０には、前記音声再生端末（３）の前記変換手段（３１）は、前記電磁波照射手段の前記光源からの光を受光して光電変換する光電変換手段であることを特徴とする音声情報支援システム、第２１には、前記光電変換手段は、太陽電池であることを特徴とする音声情報支援システム、第２２には、前記音声再生端末（３）の前記変換手段（３１）は、端末ユーザの身体の一部に装着可能となっていることを特徴とする音声情報支援システム、第２３には、前記身体の一部が手または足であることを特徴とする音声情報支援システム、第２４には、前記音声再生端末（３）の前記変換手段（３１）は、端末ユーザが持つ指示棒に装着可能となっているまたは組み込まれていることを特徴とする音声情報支援システム、第２５には、前記音声再生端末（３）の前記音声再生手段（３２）は、イヤホンもしくはヘッドホンまたはスピーカであることを特徴とする音声情報支援システム、第２６には、前記音声再生端末（３）は、別体の駆動電源を必要としない無電源端末であることを特徴とする音声情報支援システムを提供する。
【００１５】
また、第２７には、図７にその機能ブロック図を例示したような、前記音声再生端末（３）の前記ＩＤ発信手段（３３）は、ＲＦＩＤタグ（３４）であり、前記ＩＤ検出装置（４）は、当該ＲＦＩＤタグ（３４）との間でＩＤ認証通信を行うリーダライタ（４１）であることを特徴とする音声情報支援システム、第２８には、図８にその機能ブロック図を例示したような、前記音声再生端末（３）のＩＤ発信手段（３３）は、光ＩＤタグ（３５）であり、前記ＩＤ検出装置（４）は、当該光ＩＤタグ（３５）が発するＩＤ用赤外光を受光してＩＤデータを出力する赤外線センサ（４２）であることを特徴とする音声情報支援システム、第２９には、図９にその機能ブロック図を例示したような、前記光ＩＤタグ（３５）は、ＩＤ用赤外光の赤外線光源（３５ａ）と、ＩＤデータを記憶するＩＤ記憶手段（３５ｂ）と、ＩＤデータに応じてＩＤ用赤外光を変調する変調手段（３５ｃ）とを有しており、前記赤外線センサ（４２）は、当該光ＩＤタグ（３５）により変調されて発信されたＩＤ用赤外光を受光してＩＤデータを出力する、ことを特徴とする音声情報支援システムを提供する。
【００１６】
そして、第３０には、図１０にその機能ブロック図を例示したような、前記位置検出装置（５）は、位置用赤外光の赤外線光源（５１）と、前記音声再生端末（３）により反射されて戻されてきた位置用赤外光を撮像する赤外線撮像手段（５２）と、赤外線撮像手段（５２）により撮像された位置用赤外光像に基づいて音声再生端末（３）の位置を検出する位置検出手段（５３）とを有しており、前記音声再生端末（３）は、前記位置検出装置（５）により発信された位置用赤外光を反射させる反射手段（３６）を有している、ことを特徴とする音声情報支援システム、第３１には、前記位置検出装置（５）は、前記画像表示装置（１）の画像表示面に設けられたタッチパネルと、端末ユーザが触れた当該タッチパネルの位置に基づいて前記音声再生端末（３）の位置を検出する位置検出手段とを有していることを特徴とする音声情報支援システム。
【００１７】
【発明の実施の形態】
［第１の実施形態］
図１１および図１２はこの出願の発明の一実施形態を示したものである。
【００１８】
これら図１１および図１２に示した実施形態では、まず、前記画像表示装置（１）として、前記スクリーン手段（１１）に相当するテーブル状体（１００）と前記画像投射手段（１２）に相当するプロジェクタ装置（１０２）とを備えている。
【００１９】
より具体的には、テーブル状体（１００）は平面で且つ透光性の天板スクリーン部（１０１）を有し、プロジェクタ装置（１０２）は、この天板スクリーン部（１０１）の画像表示面とは反対の背面側から画像を投射するように、天板スクリーン部（１０１）の下方に設置されている。図１１では、プロジェクタ装置（１０２）を一つ用いて、天板スクリーン部（１０１）一面に画像を投射するものとなっており、図１２では、プロジェクタ装置（１０２）を二つ配設し、天板スクリーン部（１０１）を二画面に分割してそれぞれに画像投射するものとなっている。図１２におけるプロジェクタ装置（１０２）は、プロジェクタ本体（１０３）およびそれからの投射画像を上方へ屈折させて天板スクリーン部（１０１）背面へ導く鏡等の光学系（１０４）を有している。
【００２０】
次いで、前記音声出力装置（２）としては、前記電磁波照射手段（２２）に相当する複数の赤外線光源（２０１）からなる赤外線光源アレイ（２００）を、天板スクリーン部（１０１）の下方に備え、また前記変調手段（２１）に相当する機能を有する音声コントロール部（２０２）を備えている。
【００２１】
より具体的には、赤外線光源アレイ（２００）の各赤外線光源（２０１）は、天板スクリーン部（１０１）に表示されている画像中の複数の位置それぞれに対応してアレイ状に配設されており、天板スクリーン部（１０１）の背面から画像中の各位置へ、音声コントロール部（２０２）により音声情報を基に変調された赤外線を照射するようになっている。図１２では、天板スクリーン部（１０１）に分割表示されている二つの画像合わせて６×１６のスポット位置を設定して、これら各スポット位置に対応させた６×１６の赤外線光源（２０１）を配設している。また、プロジェクタ装置（１０２）（プロジェクタ本体（１０３）および光学系（１０４））による天板スクリーン部（１０１）への画像投射の邪魔にならないように、投射領域を空けている。
【００２２】
このような赤外線光源（２０１）から出射される赤外光は、音声コントロール部（２０２）によって出力すべき音声情報を基に変調されたものとなっている。より具体的には、たとえば、音声信号の電圧レベルに応じて赤外線光源（２０１）の駆動電圧を変化させることにより、出射赤外光の強度を変調制御すればよい。
【００２３】
さて、以上のように天板スクリーン部（１０１）にプロジェクタ装置（１０２）からの投射画像が表示され、且つその画像中の複数スポット位置に赤外線光源アレイ（２００）からの音声変調赤外光が照射されている状態において、前記音声再生端末（３）の前記変換手段（３１）および前記音声再生手段（３２）（図１参照）を用いることで、音声変調赤外光を受信して光電変換し、得られた電気信号を音声として再生できるようになる。
【００２４】
本実施形態では、この変換手段（３１）に相当する太陽電池（３０２）を備えた指装着端末部（３０１）を端末ユーザ（６００）の指に装着させ、その太陽電池（３０２）にケーブル（図示なし）等を介して結線させた音声再生手段（３２）に相当するイヤホン（３００）を端末ユーザの耳に装着させるようにしている。これにおいて、端末ユーザ（６００）が自分の指を画像中の任意のスポット位置に近づける、より具体的には指に装着している太陽電池（３０２）をスポット位置に近づけると、太陽電池（３０２）がそのスポット位置に照射されている上記音声変調赤外光を受光して光電変換する。光電変換により得られた電気信号はイヤホン（３００）に送られてそのまま音声出力され、端末ユーザ（６００）はその音声を聞くことになる。この音声は、当然元の音声情報と同じものである。
【００２５】
以上の本実施形態の音声情報支援システムによれば、複数の端末ユーザ（６００）がテーブル状体（１００）の天板スクリーン部（１０１）上に映し出される画像を見ることができるだけでなく、端末ユーザ（６００）一人一人がその画像に関連した好きな音声情報を好きなときに聞くことができるようになる。すなわち、各端末ユーザ（６００）に個別に対応した音声情報支援が実現されているのである。
【００２６】
［第２の実施形態］
この音声情報支援システムにおいては、各ユーザに対する音声情報支援の個別化（プライベート化とも呼べる）をさらに推し進めるべく、端末ユーザまたは端末自体のＩＤおよび位置に基づいた音声情報支援を行うようにもシステム構成できる。
【００２７】
まず、図１３は、ＩＤに基づく音声情報支援についての一実施形態を示したものである。
【００２８】
この図１３の実施形態では、上記太陽電池（３０２）と前記ＩＤ発信手段（３３）（図２、７参照）に相当するＲＦＩＤタグ（３０３）とが一体配置された指装着端末部（３０１）（図中の拡大概念図を参照）が用いられており、一方でテーブル状体（１００）には、その天板上の天板スクリーン部（１０１）での画像表示の邪魔にならない４隅部にリーダライタ（４０１）が配設されており、且つ各リーダライタ（４０１）の出力はＩＤ認証部（４００）に結線されている。本実施形態ではこれらリーダライタ（４０１）およびＩＤ認証部（４００）が前記ＩＤ検出装置（４）（図２、７参照）に相当する。指装着端末部（３０１）において、太陽電池（３０２）は、上記赤外線光源アレイ（２００）によって天板スクリーン部（１０１）の背面から照射される音声変調赤外光を天板スクリーン部（１０１）上にて受光するために、受光面が下方を向くように配置されていることが好ましく、またＲＦＩＤタグ（３０３）は、リーダライタ（４０１）とのＩＤ認証通信が可能であればよいので、たとえば太陽電池（３０２）とは反対側に設けられていても同じ側に設けられていてもよい（図中の拡大概念図を参照）。反対側配置の場合、端末ユーザ（６００）はリーダライタ（４０１）上で指装着端末部（３０１）を裏返せばよい。
【００２９】
これにおいて、端末ユーザ（６００）が、指装着端末部（３０１）を指に装着した状態でそのＲＦＩＤタグ（３０３）をリーダライタ（４０１）に近づけると、ＲＦＩＤタグ（３０３）とリーダライタ（４０１）との間で必要なデータ通信が行われて、リーダライタ（４０１）で読み取られたＩＤデータがＩＤ認証部（４００）に送られる。そして、ＩＤ認証部（４００）で認証されたＩＤデータに基づいて、現在どのような端末ユーザ（６００）が画像を見ているのかなどを自動判別することができ、さらにはその判別に従って音声コントロール部（２０２）を介して端末ユーザ（６００）に適した音声情報を発信するようにすることもできる。
【００３０】
このとき、たとえば、所定のＩＤデータに対応させた音声情報を記憶した音声情報データベースと、ＩＤ認証部（４００）により認証されたＩＤデータに対応した音声情報を音声情報データベースから検索選出する音声情報選出手段とを構築しておけば、そのＩＤデータを持つ端末ユーザ（６００）にのみ対応した音声情報による個別支援を実現できる。
【００３１】
［第３の実施形態］
図１４は、ＩＤに基づく音声情報支援についての別の一実施形態を示したものである。
【００３２】
本実施形態では、指装着端末部（３０１）は、上記ＲＦＩＤタグ（３０３）の代わりに、光ＩＤタグ（３０４）が太陽電池（３０２）と一体配置されたものとなっている（図中の拡大概念図を参照）。この光ＩＤタグ（３０４）は、前記図９に示したようにＩＤ用赤外光を発する赤外線ＬＥＤビーコン等の赤外線光源（３５ａ）と、ＩＤデータを記憶するＩＤメモリ等のＩＤ記憶手段（３５ｂ）と、ＩＤデータに応じてＩＤ用赤外光を変調する変調回路等の変調手段（３５ｃ）とを有している。一方、テーブル状体（１００）の上方には、光ＩＤタグ（３０４）からのＩＤ用赤外光を受光してＩＤデータを出力する赤外線センサ（４０２）複数が適宜位置に配設されており、且つ各赤外線センサ（４０２）の出力はＩＤ認証部（４００）に結線されている。
【００３３】
これにおいては、端末ユーザ（６００）が指装着端末部（３０１）を指に装着した状態にて、その光ＩＤタグ（３０４）が記憶している自己のＩＤデータに応じて変調したＩＤ用赤外光を発光すると、赤外線センサ（４２）がそれを受光し復調してＩＤビット列を取り出す。後は上記図１３の実施形態と同様に、このＩＤビット列を受けたＩＤ認証部（４００）がＩＤデータを認証し、このＩＤデータを持つ端末ユーザ（６００）にのみ適した音声情報が音声コントロール部（２０２）を介して発信される。
【００３４】
［第４の実施形態］
続いて、図１５は、位置に基づく音声情報支援についての一実施形態を示したものである。
【００３５】
本実施形態においては、指装着端末部（３０１）は、前記反射手段（３６）（図１０参照）に相当する再帰型の反射シート（３０５）が太陽電池（３０２）と一体配置されたものとなっている（図中の拡大概念図を参照）。
【００３６】
一方、テーブル状体（１００）の上方には、赤外線ＬＥＤ（５０２）および赤外線カメラ（５０１）を一体に備えたものが適宜位置に配設されている。赤外線ＬＥＤ（５０２）は位置用赤外光を発光する前記赤外線光源（５１）（図１０参照）に相当し、赤外線カメラ（５０１）は上記指装着端末部（３０１）の反射シート（３０５）により反射されて戻されてきた位置用赤外光を撮像する前記赤外線撮像手段（５２）（図１０参照）に相当するものである。再帰型の反射シート（３０５）は受光した光を入射方向と同方向に反射するものであるので、反射されて戻されてきた赤外光を的確に撮像するために赤外線カメラ（５０１）と赤外線ＬＥＤ（５０２）とは近接配置させて一体構成にしている。そして赤外線カメラ（５０１）の出力は、赤外線カメラ（５０１）により撮像された位置用赤外光像に基づいて音声再生端末（３）の位置を検出する前記位置検出手段（５３）（図１０参照）に相当する位置認証部（５００）に結線されている。位置認証部（５００）は、赤外線カメラ（５０１）と赤外線ＬＥＤ（５０２）の一体型筐体の中に組み込まれていても、外部別体として設けられていてもよい。
【００３７】
これにおいて、赤外線ＬＥＤ（５０２）からは位置用赤外光が天板スクリーン部（１０１）の略全面に対して常時出射されており、この出射領域内に指装着端末部（３０１）が入ると、つまり端末ユーザ（６００）が自己の指に装着した指装着端末部（３０１）を天板スクリーン部（１０１）上に持っていくと、その再帰型の反射シート（３０５）が位置用赤外光を受光して入射方向とほぼ同方向に反射する。この反射赤外光は赤外線カメラ（５０１）に再帰する。赤外線カメラ（５０１）は可視光カットフィルタを通して位置用赤外光を輝点として撮像し、この画像データを受けた位置認証部（５００）がフレーム座標から輝点のカメラ相対位置を画像処理により検出する。この検出位置が天板スクリーン部（１０１）上での指装着端末部（３０１）の位置として認証されて、現在画像中のどの位置に指装着端末部（３０１）があるかを自動判別することができる。そして、赤外線光源アレイ（２００）が音声変調赤外光を照射している天板スクリーン部（１０１）上の位置の座標を予め音声コントロール部（２０２）に記憶させておき、その照射位置の中から上記指装着端末部（３０１）の位置座標と一致するものを選択し、選択した照射位置に対して音声変調赤外光を照射するようにすれば、端末ユーザ（６００）がその指装着端末部（３０１）でつまり自分の指で指し示している画像中の位置に対して音声情報を発信できるようになる。
【００３８】
なお、再帰型の反射シート（３０５）については、たとえば、再帰型コーナーキューブをシート状に複数配置したもので構成することができ、上記のとおり赤外線ＬＥＤ（５０２）による上方からの位置用赤外光を受光するために、赤外線光源アレイ（２００）による下方からの音声変調赤外光を受光する太陽電池（３０２）とは反対側に、つまり受光反射面が上方を向くように、配置されていることが好ましい。
【００３９】
［第５の実施形態］
この音声情報支援システムではさらに、上記ＩＤに基づく音声情報支援および位置に基づく音声情報支援を組み合わせることで、より一層優れた個別音声情報支援を実現することもできる。
【００４０】
図１６は、上記図１３および図１５の実施形態を組み合わせて、ＩＤおよび位置の両方に基づく音声情報支援を行う一実施形態を示したものである。なお図１７は本実施形態をさらに説明するための概念図であり、下記説明にて適宜参照する。
【００４１】
本実施形態では、まず、赤外線ＬＥＤ（５０２）から位置用赤外光が常時出射されており、それが天板スクリーン部（１０１）上の指装着端末部（３０１）の反射シート（３０５）により赤外線カメラ（５０１）へ再帰反射されて撮像され、位置認証部（５００）にてその撮像データに基づいた位置認証が行われる。すなわち、再帰反射された位置用赤外光を撮像している限り、指装着端末部（３０１）を追跡つまりトラッキングできるのである（図１７参照）。
【００４２】
一方、端末ユーザ（６００）が指装着端末部（３０１）のＲＦＩＤタグ（３０３）を天板上のある一つのリーダライタ（４０１）に近づけると、上記のとおりにＩＤ認証が行われる。このとき、赤外線カメラ（５０１）および位置認証部（５００）により検出認証された指装着端末部（３０１）の位置座標はリーダライタ（４０１）の位置座標と一致することになるので、各リーダライタ（４０１）の配設位置座標を予め記憶させておけば、どのリーダライタ（４０１）でＩＤ認証が行われたかを自動判別でき、トラッキングしている指装着端末部（３０１）とＩＤデータとを対応付けることができる（図１７参照）。
【００４３】
そして、上記認証されたＩＤデータに対応した音声情報を検索選択し、それに基づいて変調した赤外光を、上記認証された指装着端末部（３０１）の位置座標と一致する画像中の位置へ照射させることで、当該ＩＤデータを持つ端末ユーザ（６００）がまさに興味を示している画像中の位置に対してその端末ユーザ（６００）にのみ適した音声情報を発信することができ、かつ、この個別音声情報支援を指装着端末部（３０１）のトラッキング中、常に的確に行うことができる（図１７参照）。
【００４４】
図１７の一例について説明すると、ある一人が日本人で、ある一人が外国人であるとＩＤ認証により判別された場合、それぞれがＩＤ認証通信を行ったリーダライタ（４０１）の位置からトラッキングを行い（ＩＤ認証とトラッキング開始（撮像開始）を同期させればよい）、日本人に対してはその指装着端末部（３０１）を天板スクリーン部（１０１）上を動かしている間常に画像中のどのスポット位置でも日本語音声情報が提供され、外国人に対しては同様に外国語音声情報が提供されるようになる。
【００４５】
［第６の実施形態］
図１８は、上記図１４および図１５の実施形態を組み合わせて、ＩＤおよび位置の両方に基づく音声情報支援を行う一実施形態を示したものである。
【００４６】
本実施形態では、まず、指装着端末部（３０１）が、光ＩＤタグ（３０４）からＩＤ用赤外光を予め設定した時間間隔で断続的に出射する。このＩＤ用赤外光は、別々の経路を経て二つの異なるセンサつまり赤外線センサ（４０２）および赤外線カメラ（５０１）に到達する。赤外線センサ（４０２）では上記のとおりにＩＤ用赤外光を復調してＩＤビット列を取り出し、ＩＤ認証部（４００）にてＩＤ認証が行われる。赤外線カメラ（５０１）では可視光カットフィルタを通してＩＤ用赤外光を輝点として捕らえ、位置認証部（５００）にて位置認証が行われる。このとき、赤外光発光は上記既定時間間隔をおいて繰り返されているので、輝点の変化からその出力タイミングを知ることができる。すなわち、赤外線センサ（４０２）の出力と赤外線カメラ（５０１）によるカメラ画像を同期させることができるのである。
【００４７】
一方、上記のとおり、赤外線ＬＥＤ（５０２）からは位置用赤外光を常時出射しており、これを天板スクリーン部（１０１）上の指装着端末部（３０１）の反射シート（３０５）が赤外線カメラ（５０１）へ再帰反射させ、その撮像データに基づき位置認証部（５００）にて位置認証が行われる。この位置用赤外光つまり反射シート（３０５）の輝点は上記ＩＤ用赤外光のものとは異なりロストしにくいので、反射シート（３０５）の位置つまり指装着端末部（３０１）の位置を常に追跡しておくことができる。したがって、反射シート（３０５）の輝点の近傍に光ＩＤタグ（３０４）の輝点が現れれば、上記赤外線センサ（４０２）およびＩＤ認証部（４００）によって認証されたＩＤを上記赤外線カメラ（５０１）および位置認証部（５００）によって認証された位置に対応付けることができる。すなわち、指装着端末部（３０１）を常に追跡つまりトラッキングしながら、断続的に検出されるＩＤ情報と位置情報とを対応付けることができるのである。
【００４８】
そして、上記認証されたＩＤデータに対応した音声情報を検索選択し、それに基づいて変調した赤外光を、上記認証された指装着端末部（３０１）の位置座標と一致する画像中の位置へ照射させることで、当該ＩＤデータを持つ端末ユーザ（６００）がまさに興味を示している画像中の位置に対してその端末ユーザ（６００）にのみ適した音声情報を発信することができ、かつ、この個別音声情報支援を指装着端末部（３０１）のトラッキング中、常に的確に行うことができる。
【００４９】
［第７の実施形態］
ところで、位置認証については、上記ＲＦＩＤタグ（３０３）や光ＩＤタグ（３０４）以外にも、タッチパネルを用いることを考慮できる。
【００５０】
図１９は、このタッチパネルを用いた位置認証に基づいて音声情報支援を行う一実施形態を示したものである。
【００５１】
本実施形態では、テーブル状体（１００）の天板スクリーン部（１０１）上にタッチパネル（５０３）を設けている。タッチパネル（５０３）は、天板スクリーン部（１０１）に表示されている画像がタッチパネル（５０３）を通しても端末ユーザ（６００）に見えるように、透明なものとする。これにおいて、端末ユーザ（６００）がタッチパネル（５０３）に触れると、その位置が指装着端末部（３０１）の位置として検出されることになる。
【００５２】
後は、そのタッチ位置座標と音声変調赤外光の照射位置座標との一致を判断することで、上記と同様に、一致した照射位置への個別音声情報支援を行うことができる。もちろん上記ＩＤ認証との組み合わせもできることは言うまでもない。
【００５３】
［他の実施形態］
この出願の発明は以上の実施形態に限定されるものではなく、さらに様々な態様が可能である。
【００５４】
［１］たとえば、上記図１１〜図１９の実施形態では、画像表示装置（１）のスクリーン手段（１１）として、平面形状の天板スクリーン部（１０１）を有するテーブル状体（１００）を用いているが、曲面形状のスクリーン部を利用することもでき、この場合ではたとえば球面や半球面等のスクリーン体にその背面から画像投射する形態を考慮できる。
【００５５】
図２０は、透光性の球面スクリーン体（７００）とプロジェクタ装置（７０１）との一例を示したものである。３６０度の球面スクリーン体（７００）の内部に複数個のプロジェク装置（７０１）を配設し、各プロジェクタ装置（７０１）が各々に割り当てられた球面領域に対して画像投射を行うようになっている。この場合、前記赤外線光源（２０１）は、画像中の適宜のスポット位置へ音声変調赤外光を照射できるように、適宜個数を適宜位置に配設させておけばよい。
【００５６】
［２］また、上記図１１〜図１９の実施形態はスクリーン手段（１１）および画像投射手段（１２）からなる画像表示装置（１）（図５参照）についてのものとなっているが、画像表示装置（１）としては、ブラウン管ディスプレイ（＝ＣＲＴディスプレイ）や、液晶ディスプレイ（＝ＬＣＤ）、プラズマディスプレイ（＝ＰＤＰ）、エレクトロルミネセントディスプレイ（＝ＥＬＤ）、発光ダイオードディスプレイ（＝ＬＥＤディスプレイ）、蛍光表示管ディスプレイ（＝ＶＦＤ）、電解放出ディスプレイ（ＦＥＤ）等のフラットパネルディスプレイ（＝ＦＰＤ）など、様々な装置を用いることができる。いずれの表示装置を用いる場合でも、上記音声変調赤外光を代表とする音声電磁波を画像表示面の適宜位置へ照射できるようにすればよい。
【００５７】
図２１は、ブラウン管ディスプレイ（８０１）と赤外線光源（８００）との一例を示したものである。この場合、赤外線光源（８００）は、ブラウン管ディスプレイ（８０１）の蛍光面（８０２）を透過して画像中の適宜のスポット位置へ音声変調赤外光を照射できるように、適宜個数をブラウン管（８０３）の外側の適宜位置に配設させておけばよい。このとき、ブラウン管（８０３）には通常外部コーティングおよび内部コーティングが施されているので、たとえば赤外光を通したい部分のコーティングを削ったり、また赤外光透過性の材料を用いたりして、赤外光が両コーティングを十分に透過できるようにしておくことが必要となる。もちろんこの図２１の例に限定されるものではない。
【００５８】
図２２は、透過型の液晶ディスプレイ（８０５）と赤外線光源（８０４）との一例を示したものである。図２２中の（８０６）はバックライト光源、（８０７）は偏光フィルタ、（８０８）はガラス基板、（８０９）は透明電極、（８１０）は液晶層、（８１１）はカラーフィルタ、（８１２）はガラス基板、（８１３）は偏光フィルタ、（８１４）は表示面である。この場合、赤外線光源（８０４）は、各層を透過して表示面（８１４）上の適宜のスポット位置へ音声変調赤外光を照射できるように、適宜個数を適宜位置に配設させておけばよい。各層の適宜部位に赤外光透過性の材料を用いたりしてもよい。もちろんこの図２２の例に限定されるものではない。
【００５９】
図２３は、プラズマディスプレイ（８１６）と赤外線光源（８１５）との一例を示したものである。図２３中の（８１７）は背面のガラス基板、（８１８）はアドレス電極（データ電極とも呼ぶ）、（８１９）は蛍光体、（８２０）は隔壁、（８２１）は表示電極（走査電極および維持電極との対）、（８２２）誘電体層、（８２３）は前面のガラス基板である。この場合、赤外線光源（８１５）は、画像表示されるガラス基板（８２３）上の適宜のスポット位置へ音声変調赤外光を各層を透過して照射できるように、適宜個数を適宜位置に配設させておけばよい。各層の適宜部位に赤外光透過性の材料を用いたりしてもよい。もちろんこの図２３の例に限定されるものではない。
【００６０】
図２４は、透明のエレクトロルミネセントディスプレイ（８２５）と赤外線光源（８２４）との一例を示したものである。図２４中の（８２６）はガラス基板、（８２７）は透明電極、（８２８）は絶縁層、（８２９）は発光層、（８３０）は絶縁層、（８３１）はガラス基板である。この場合、赤外線光源（８２４）は、各層を透過してガラス基板（８３１）上の適宜のスポット位置へ音声変調赤外光を照射できるように、適宜個数を適宜位置に配設させておけばよい。各層の適宜部位に赤外光透過性の材料を用いたりしてもよい。もちろんこの図２４の例に限定されるものではない。
【００６１】
図２５（ａ）（ｂ）は、各々、発光ダイオードパネル（８３４）を複数配設してなる平面体および球体の発光ダイオードディスプレイ（８３３）と赤外線光源（８３２）との一例を示したものである。発光ダイオードパネル（８３４）は複数の小型ＬＥＤ（８３５）をアレイ状に有するパネル体となっており、これを複数個連設させて平面体または球体の発光ダイオードディスプレイ（８３３）が構成されている。この場合、赤外線光源（８３２）は、各発光ダイオードパネル（８３４）自体に他の小型ＬＥＤとともに組み込んだり、発光ダイオードパネル（８３４）同士の間隙に組み込んだりして、適宜位置へ音声変調赤外光を照射できるようにすればよい。もちろんこの図２５の例に限定されるものではない。
【００６２】
他のフラットパネルディスプレイについては図示しないが、同様に、画像表示面の適宜スポット位置へ音声変調赤外光を照射できるように、適宜個数の赤外線光源を適宜位置に配設させておけばよい。
【００６３】
また、上記図示した例では一つ一つが別体の赤外線光源（８００）（８０４）（８１５）（８２４）を複数個配置しているが、面発光ＬＥＤを代表とする面発光光源を適宜位置に設けるようにしてもよい。
【００６４】
［３］また、上記実施形態では、各赤外線光源は、照射すべき画像中の各位置と同じ数で配設しているが、それぞれの赤外線の照射方向を画像中の各位置に向けるように変更制御可能であれば、画像中の照射位置数と光源数とが同じでなくてもよく、位置数より少ない光源数としても、１つのみの光源数としても対応できる。
【００６５】
［４］また、上記実施形態では、画像表示面の背面つまり画像表示面とは反対面側から音声変調赤外光を照射しているが、画像表示面側から照射するようにしてもよい。図２６および図２７は各々この場合の一例を示したものであり、天板スクリーン部（１０１）の上方に赤外線光源（２０１）を配設している。なお、図２６は照射位置数と同じ光源数としているが、図２７は上記のとおりに各赤外線光源（２０１）がパン・チルト駆動して照射方向を変更制御可能なものとなっており、照射位置数よりも少ない光源数となっている。
【００６６】
［４］赤外線光源（２０１）としては、たとえば赤外発光ダイオード（＝赤外ＬＥＤ）を用いることができる。
【００６７】
［５］各種画像表示装置の画像表示面までの距離に応じて光量をより多くしたい場合には、個々の赤外線光源（２０１）自体を複数の赤外ＬＥＤを集めたものとすることもできる。
【００６８】
［６］音声出力装置（２）の電磁波照射手段（２２）としては、上記赤外線光源（２０１）のほかにも、可視光線等の他の光を出力する各種光源を利用することもできる。
【００６９】
［７］また、光源には、ＬＥＤだけでなく、レーザを用いることができ、さらには、これらからの光を光ファイバ等の光ケーブルを通して画像中の各スポット位置に照射する態様も考慮できる。
【００７０】
［８］もちろん、光以外の電波等の各種電磁波の使用も考慮でき、この場合ではそれぞれに対応した電磁波源を用いることになる。また、上記各種実施形態についても各電磁波に対応した構成にする必要があることは言うまでもない。
【００７１】
［９］また、上記図１１から図１９の実施形態では、太陽電池（３０２）、ＲＦＩＤタグ（３０３）、光ＩＤタグ（３０４）、反射シート（３０５）を有する指装着端末部（３０１）を端末ユーザ（６００）の指に装着可能なものとしているが、指でなくても、手や足などの身体の一部に装着可能な身体装着端末部なるものとしてもよい。表示されている画像中のスポット位置に触れるまたは近づけることができるものであればよいのである。したがって、このように身体の一部に装着可能なものだけでなく、たとえば図２８に例示したような、端末ユーザ（６００）が持つ指示棒（９００）に装着可能なもの若しくは予め組み込まれたものなども考慮できる。
【００７２】
図２８では、伸縮自在な指示棒（９００）の先端に棒装着端末部（９０１）が取付け取外し自在に装着されており、この棒装着端末部（９０１）は指示棒（９００）内を通った導線（９０２）（外側を通ってもよい）を介してイヤホンやヘッドホン、スピーカ等の音声再生端末部（９０３）に結線されており、太陽電池（図示なし）からの出力電気信号が音声として再生されるようになっている。また、たとえば、音声再生端末部（９０３）としてのイヤホンやヘッドホンは端末ユーザ（６００）の耳に装着可能であり、スピーカは端末ユーザ（６００）が携帯可能である。
【００７３】
［１０］また、この音声情報支援システムは、視覚障害者用の音声ガイドシステムとしても適用することができる。この場合、画像中のどの位置に赤外光等の電磁波が照射されているかわからないので、たとえば図２９に例示したように、画像表示面の各照射位置に小さな穴（１０００）を配設するようにしてもよい。これによれば、視覚障害者は穴（１０００）に触れることで照射位置を知ることができ、音声情報支援を的確に受けられるようになる。
【００７４】
また、ＩＤデータに視覚障害者であることを示すビット列を埋め込んでおけば、ＩＤ認証時に判別でき、その判別に従って視覚障害者に適した音声情報を提供することもできる。このとき、たとえば、位置認証と組み合わせることで、今触れている画像中の照射位置または上記穴（１０００）からどの方向に指や指示棒等を動かせば次の照射位置または穴（１０００）があるかなどをナビゲーションすることもできる。たとえば、「そこから少し右に次の穴があります」「そこから少し前方に・・・についての説明音声を流している穴があります」などの音声指示を出せるようになる。もちろんこのナビゲーションは健常者にも適用できるものである。
【００７５】
［１１］また、上記図１５、図１６、図１８の実施形態では、位置認証を行うための赤外線カメラ（５０１）および赤外線ＬＥＤ（５０２）を天板スクリーン部（１０１）の上方に配設しているが、たとえば図３０に例示したように下方に配設することも考慮できる。この場合では、反射シート（３０５）は太陽電池（３０１）と同じ側に設けて、下方からの位置用赤外光を受光し再帰反射させるようにすることが好ましい（図中の拡大図参照）。
【００７６】
［１２］また、上記図１１〜図２０の実施形態では、画像表示装置（１）のスクリーン手段（１１）に相当するもの（天板スクリーン部（１０１）を有するテーブル状体（１００）や球面スクリーン体（７００））が、何ら凹凸のないきれいな平面状または曲面状の画像表示面を有しているが、平面や曲面等を組み合わせた凹凸状の画像表示面を有するスクリーン手段（１１）を用いることもできる。図３１はこの場合の一例を示したものであり、凹凸画像表示面を有する立体スクリーン体（１１００）に対してプロジェクタ装置（１１０１）から画像投射して立体地図などを表示し、その立体地図中の適宜位置に対して赤外線光源（１１０２）から音声変調赤外光を照射している。
【００７７】
［１３］なお、画像表示装置（１）については、上記実施形態のような各種のスクリーン手段（１１）および画像投射手段（１２）からなるものに限られるのではなく、画像を表示する装置であればよいので、たとえば、スクリーン体自体に画像が塗布や印刷等されており、上記赤外光を代表とする電磁波を透過できるものなども、この出願の発明の音声情報支援システムに適用することができる。
【００７８】
【発明の効果】
以上詳しく説明したとおり、この出願の発明によれば、スクリーン上に表示されている画像中の任意の位置にて、ユーザがその位置を指し示すまたは触れるなどするだけで、表示画像に関連する音声情報を容易に聞くことができ、画像を見ているユーザ一人一人に個別に対応した音声情報支援を実現することのできる、全く新しい音声情報支援システムが提供される。
【図面の簡単な説明】
【図１】この出願の発明を説明するための機能ブロック図である。
【図２】この出願の発明を説明するための機能ブロック図である。
【図３】この出願の発明を説明するための機能ブロック図である。
【図４】この出願の発明を説明するための機能ブロック図である。
【図５】この出願の発明を説明するための機能ブロック図である。
【図６】この出願の発明を説明するための機能ブロック図である。
【図７】この出願の発明を説明するための機能ブロック図である。
【図８】この出願の発明を説明するための機能ブロック図である。
【図９】この出願の発明を説明するための機能ブロック図である。
【図１０】この出願の発明を説明するための機能ブロック図である。
【図１１】この出願の発明の一実施形態を示した模式図である。
【図１２】この出願の発明の別の一実施形態を示した模式図である。
【図１３】ＩＤ認証を行う場合のこの出願の発明の一実施形態を示した模式図である。
【図１４】ＩＤ認証を行う場合のこの出願の発明の別の一実施形態を示した模式図である。
【図１５】位置認証を行う場合のこの出願の発明の一実施形態を示した模式図である。
【図１６】ＩＤ認証および位置認証を行う場合のこの出願の発明の一実施形態を示した模式図である。
【図１７】図１６の実施形態を説明するための図である。
【図１８】ＩＤ認証および位置認証を行う場合のこの出願の発明の別の一実施形態を示した模式図である。
【図１９】位置認証を行うこの出願の発明のさらに別の一実施形態を示した模式図である。
【図２０】球面スクリーン体を用いる場合の一例を示した模式図である。
【図２１】ブラウン管ディスプレイを用いる場合の一例を示した模式図である。
【図２２】液晶ディスプレイを用いる場合の一例を示した模式図である。
【図２３】プラズマディスプレイを用いる場合の一例を示した模式図である。
【図２４】エレクトロルミネセントディスプレイを用いる場合の一例を示した模式図である。
【図２５】（ａ）（ｂ）は、各々、平面体および球面体発光ダイオードディスプレイを用いる場合の一例を示した模式図である。
【図２６】赤外線光源を天板スクリーン部の上方に配設した場合の一例を示した模式図である。
【図２７】赤外線光源を天板スクリーン部の上方に配設した場合の別の一例を示した模式図である。
【図２８】指示棒の一例を示した模式図である。
【図２９】画像表示面の一例を示した模式図である。
【図３０】位置認証の別の一実施形態を示した模式図である。
【図３１】立体スクリーン体の一例を示した模式図である。
【符号の説明】
１  画像表示装置
１１  スクリーン手段
１２  画像投射手段
２  音声出力装置
２１  変調手段
２２  電磁波照射手段
３  音声再生端末
３１  変換手段
３２  音声再生手段
３３  ＩＤ発信手段
３４  ＲＦＩＤタグ
３５  光ＩＤタグ
３５ａ  赤外線光源
３５ｂ  ＩＤ記憶手段
３５ｃ  変調手段
３６  反射手段
４  ＩＤ検出装置
４１  リーダライタ
４２  赤外線センサ
５  位置検出装置
５１  赤外線光源
５２  赤外線撮像手段
５３  位置検出手段
１００  テーブル状体
１０１  天板スクリーン部
１０２  プロジェクタ装置
１０３  プロジェクタ本体
１０４  光学系
１０５  映像コントロール部
２００  赤外線光源アレイ
２０１  赤外線光源
２０２  音声コントロール部
３００  イヤホン
３０１  指装着端末部
３０２  太陽電池
３０３  ＲＦＩＤタグ
３０４  光ＩＤタグ
３０５  反射シート
４００  ＩＤ認証部
４０１  リーダライタ
４０２  赤外線センサ
５００  位置認証部
５０１  赤外線カメラ
５０２  赤外線ＬＥＤ
５０３  タッチパネル
６００  端末ユーザ
７００  球面スクリーン体
７０１  プロジェクタ装置
８００  赤外線光源
８０１  ブラウン管ディスプレイ
８０２  蛍光面
８０３  ブラウン管
８０４  赤外線光源
８０５  液晶ディスプレイ
８０６  バックライト光源
８０７  偏光フィルタ
８０８  ガラス基板
８０９  透明電極
８１０  液晶層
８１１  カラーフィルタ
８１２  ガラス基板
８１３  偏光フィルタ
８１４  表示面
８１５  赤外線光源
８１６  プラズマディスプレイ
８１７  ガラス基板
８１８  アドレス電極
８１９  蛍光体
８２０  隔壁
８２１  表示電極
８２２  誘電体層
８２３  ガラス基板
８２４  赤外線光源
８２５  エレクトロルミネセントディスプレイ
８２６  ガラス基板
８２７  透明電極
８２８  絶縁層
８２９  発光層
８３０  絶縁層
８３１  ガラス基板
８３２  赤外線光源
８３３  発光ダイオードディスプレイ
８３４  発光ダイオードパネル
８３５  小型ＬＥＤ
９００  指示棒
９０１  棒装着端末部
９０２  導線
９０３  音声再生端末部
１０００  穴
１１００  立体スクリーン体
１１０１  プロジェクタ装置
１１０２  赤外線光源
【図１】
2004200815.tif 000003
【図２】
2004200815.tif 000004
【図３】
2004200815.tif 000005
【図４】
2004200815.tif 000006
【図５】
2004200815.tif 000007
【図６】
2004200815.tif 000008
【図７】
2004200815.tif 000009
【図８】
2004200815.tif 000010
【図９】
2004200815.tif 000011
【図１０】
2004200815.tif 000012
【図１１】
2004200815.tif 000013
【図１２】
2004200815.tif 000014
【図１３】
2004200815.tif 000015
【図１４】
2004200815.tif 000016
【図１５】
2004200815.tif 000017
【図１６】
2004200815.tif 000018
【図１７】
2004200815.tif 000019
【図１８】
2004200815.tif 000020
【図１９】
2004200815.tif 000021
【図２０】
2004200815.tif 000022
【図２１】
2004200815.tif 000023
【図２２】
2004200815.tif 000024
【図２３】
2004200815.tif 000025
【図２４】
2004200815.tif 000026
【図２５】
2004200815.tif 000027
【図２６】
2004200815.tif 000028
【図２７】
2004200815.tif 000029
【図２８】
2004200815.tif 000030
【図２９】
2004200815.tif 000031
【図３０】
2004200815.tif 000032
【図３１】
2004200815.tif 000033